(57)【要約】【課題】  会議効率を向上させる、二画面表示モードを備えた画像投射装置を提供すること。【解決手段】  制御信号受信部で受信した命令に従って、ある時点の第１の入力映像信号をフリーズ制御し、一時記憶手段へ保存する静止画記憶手段と、該一時記憶した静止画像を第２の入力映像とし、前記第１の映像信号および第２の映像信号の合成画像を生成する画像合成手段と、一画面表示から二画面表示モードに設定変更する制御手段を備えることを特徴とする。【選択図】図１
2020198478.tif 000002
【特許請求の範囲】
【請求項１】
二画面入力を合成する手段を備えた、投射用レンズで拡大投射を行う画像投射装置であって、
制御信号受信部で受信した命令に従って、
ある時点の第１の入力映像信号をフリーズ制御し、一時記憶手段へ保存する静止画記憶手段と、
該一時記憶した静止画像を第２の入力映像とし、
前記第１の映像信号および第２の映像信号の合成画像を生成する画像合成手段と、
一画面表示から二画面表示モードに設定変更する制御手段
を備えることを特徴とする画像投射装置。
【請求項２】
前記フリーズ制御は、本発明の二画面会議モードのコマンド受信に応じて実施するものであり、画像投射装置の映像合成手段は、前記保存完了後に二画面モードへ遷移させるとともに、二画面を構成するサブ画面を一時記憶手段として設定する制御手段を備えることを特徴とする請求項１に記載の画像投射装置。
【請求項３】
前記映像入力信号である、メイン映像入力信号の非検知時に、画面分割比を設定した第一のサブ画面を表示する画素数の比率に対して、あらかじめ記憶した第二のサブ画面比率に設定を変更する制御手段を備えることを特徴とする請求項１に記載の画像投射装置。
【請求項４】
前記画像投射装置の電源オフ操作、あるいはスタンバイ状態への遷移に連動し、前記保存した一時記憶手段の内容を消去することを特徴する請求項１に記載の画像投射装置。
【請求項５】
前記入力信号を非検知の状態で、二画面会議モードのコマンド受信に応じて、一時記憶の消去動作を実行することを特徴する請求項１に記載の画像投射装置。
【請求項６】
前記画像投射装置の二画面投射モードで使用するタイマーを備え、画面フリーズに連動して会議タイマーを開始設定するとともに、タイマー動作中は二画面モードへの遷移を制御することを特徴とする請求項１に記載の画像投射装置。
【請求項７】
前記制御手段は、二画面タイマー動作中において、サブ画面のフリーズ操作を禁止する制御手段を備えることを特徴とする請求項４に記載の画像投射装置。
【請求項８】
前記表示手段とは、二画面タイマー値を画面上に重畳させ、会議の進行情報を表示する手段を備えることを特徴とする請求項４に記載の画像投射装置。
【発明の詳細な説明】
【技術分野】
【０００１】
本発明は、スクリーン（被投射面）に画像を拡大投射して表示する投射型表示装置を複数画面表示する制御に関する。さらに詳しくは、会議進行を支援する表示装置に関する。
【背景技術】
【０００２】
液晶プロジェクタは、光源から出射した光束を入力画像情報に応じて変調して光学像を形成し、当該光学像を投射レンズによってスクリーン上に拡大投射する装置である。
前記プロジェクタへ入力する映像信号は、ＰＣ画面等を所定の信号規格に基づいたケーブルで接続し、伝達される。
【０００３】
映像表示装置の入力インターフェースにおいて、複数の映像入力をメイン画面とサブ画面で合成表示する画像投射装置が提案されている（特許文献１）。
【先行技術文献】
【特許文献】
【０００４】
【特許文献１】特開平１１−６４８１４号公報
【発明の概要】
【発明が解決しようとする課題】
【０００５】
会議を円滑に進めるため、複数の入力装置と複数のプロジェクタを使用すると、設置場所が必要で、かつ操作が煩雑となる。また、１台のプロジェクタで二つの入力を合成表示する二画面表示モードでは、ＰＣ画面出力をしていても無操作状態が継続するため、ＰＣの省電力設定によって無信号状態に遷移してしまうことがあり、都合がよくない。二台目のＰＣを操作することは、説明者にとって煩わしい作業となるうえ、余分な電力を消費するため、環境負荷も高くなってしまう問題がある。
【０００６】
そこで、本発明の目的は、上記の課題を解決するため、１台の画像投射装置で、会議を効率的に進めることを可能とする二画面画像投射装置を提供することにある。
【課題を解決するための手段】
【０００７】
上記の目的を達成するために、本発明に係る画像投射装置は、
制御信号受信部で受信した命令に従って、ある時点の第１の入力映像信号をフリーズ制御し、一時記憶手段へ保存する静止画記憶手段と、
該一時記憶した静止画像を第２の入力映像とし、前記第１の映像信号および第２の映像信号の合成画像を生成する画像合成手段と、一画面表示から二画面表示モードに設定変更する制御手段を備えることを特徴とする。
また本発明に係る画像投射装置は、
二画面会議モードのコマンド受信に応じて実施するものであり、
画像投射装置の映像合成手段は、前記保存完了後に二画面モードへ遷移させるとともに、二画面を構成するサブ画面を一時記憶手段として設定する制御手段を備えることを特徴とする。
また本発明に係る画像投射装置は、
前記映像入力信号である、メイン映像入力信号の非検知時に、画面分割比を設定した第一のサブ画面を表示する画素数の比率に対して、あらかじめ記憶した第二のサブ画面比率に設定を変更する制御手段を備えることを特徴とする。
また本発明に係る画像投射装置は、
前記画像投射装置の電源オフ操作、あるいはスタンバイ状態への遷移に連動し、前記保存した一時記憶手段の内容を消去することを特徴する。
また本発明に係る画像投射装置は、
前記入力信号を非検知の状態で、二画面会議モードのコマンド受信に応じて、一時記憶の消去動作を実行することを特徴する。
また本発明に係る画像投射装置は、
前記画像投射装置の二画面投射モードで使用するタイマーを備え、画面フリーズに連動して会議タイマーを開始設定するとともに、二画面モードへの遷移を制御することを特徴する。
また本発明に係る画像投射装置は、
前記制御手段の、二画面タイマー動作中において、サブ画面のフリーズ操作を禁止する制御手段を備えることを特徴する。
また本発明に係る画像投射装置は、
前記表示手段の、二画面タイマー値を画面上に重畳させ、会議の進行情報を表示する手段を備えることを特徴する。
【発明の効果】
【０００８】
本発明に係る画像投射装置によれば、投射装置に入力される映像入力信号を静止画として一時記憶へ保存することで、映像入力信号とともに合成画面に同時表示するようにし、複数の映像入力と複数の投射装置を操作する必要をなくすことができる。
また、メイン入力画像を監視することで、入力映像の計測値に応じてメイン画面とサブ画面比率を変更するように制御し、投射装置の映像切り替えを自動化して会議進行を支援することができる。
また、会議中のタイマー動作に応じて、一時保存先のメモリを上書き禁止に制御し、会議進行中にサブ画面表示用メモリを誤って上書きしてしまうという問題を解決できる。
【図面の簡単な説明】
【０００９】
【図１】実施例１に係る画像投射装置の構成ブロック図
【図２】実施例１に係る投射画面例を示す図
【図３】実施例１に係る二画面の投射画面例を示す図
【図４】実施例１に係る二画面モード遷移制御を示すフローチャート
【図５】実施例１に係る二画面比率制御を示すフローチャート
【図６】実施例２に係る画像投射装置を示すブロック図
【図７】実施例２に係る二画面タイマー設定画面例
【図８】実施例２に係る二画面タイマー進捗表示と禁止状態表示例
【図９】実施例２に係るタイマー制御を示すフローチャート
【発明を実施するための形態】
【００１０】
以下、本発明の実施例について、図面を参照しながら説明する。
【００１１】
図１は、本発明の実施例１における液晶プロジェクタ（画像投射装置）１の構成ブロック図である。
【００１２】
映像ソース機器であるＰＣ２、ＰＣ３は、操作者が使用するコンピュータであり、映像信号ケーブルによってプロジェクタに接続されている。プロジェクタ１内部の入力信号処理部５、６は、前記入力された映像信号を内部信号へ変換し、画像処理ＭＰＵ１０へ入力する。画像処理ＭＰＵ１０内部では、入力信号処理部１１、１２でＩＰ変換やスケーリングの処理後、フレームメモリ１６へ出力信号を格納する。フレームメモリの映像情報は、順次画像処理ＭＰＵ１０へ戻され、映像合成処理部１４で一画面に合成した後、液晶パネルドライバ７を介して、光源（図示せず）の光束を光学ブロック８で変調後、投射レンズ９で拡大した光学像を外部スクリーンへ投射する。
【００１３】
会議を開催するにあたって、中立の立場で議事進行をする司会者やファシリテータがいると、進行をスムーズに進行させ、合意形成がしやすくなると言われているが、多くの会議において、人員の余裕がないのが現実である。そこで出席者が代行して議長をする場合や、説明者が議事進行を務めることがある。
【００１４】
ＰＣ２を操作する説明者は、あらかじめ作成してきた説明資料をＰＣ２からプロジェクタ１に表示させ、会議の出席者に説明をするとともに意見交換をして議事を進行させる。
【００１５】
そこで、まず説明者が会議の目的や議事進行表を提示し、参加者に会議で議論する内容について説明を行う。続いて、説明資料を用いて議事を進行させる。
【００１６】
しかし、一方的な情報共有説明ではなく、議題に基づいて検討項目を議論する場合、議題から逸れて発散することが多々あり、すべての出席者が会議で決定すべき事項を意識することが必要である。そのため、ホワイトボードやＰＣ３を用いて、会議の目的や、議事進行表を常に表示させておくことが望ましい。
【００１７】
図２に、前述の議題の投射画面例を示す。
【００１８】
議事進行者は会議開始時点で、会議の目的、議題に対する時間配分を参加者と共有し、会議を開始する。本発明のプロジェクタは、前述の議事進行を支援するため、ＰＣ２の映像信号を例えばＨＤＭＩ（登録商標）、該信号を入力として画面２６に投射する。操作者がリモコン装置４のＳボタン（図示せず）を押すことで、Ｓコマンドを赤外光として制御コマンドを発光する。前記Ｓコマンドの信号パターンを赤外線受光部１９で受信すると制御部１３で判別し、あらかじめ定義した信号に合致する場合、二画面モードに遷移させ、現在選択しているＰＣ２の映像信号をメイン画面として表示する。また、その前に選択していたＰＣ３の映像信号をサブ画面として設定し、合成表示する。サブ画面再びＳボタンを押すと、ＰＣ２の映像信号だけ表示する一画面モードに遷移する。
【００１９】
本発明の二画面会議モードは、前述のリモコン装置４からＦボタン（図示せず）を押すことで発生するＦコマンドを受信したＭＰＵ１３が、ＦｌａｓｈＲＯＭで構成する記憶部１８から、本実施例の制御プログラム１７を読み込み実行する。
【００２０】
二画面会議モードでは、ＰＣ２から入力されている映像信号２６を一時的にフリーズさせ、静止画としてＲＡＭで構成される一時メモリ１５に一時的に記憶する。本実施例では、一時メモリ１５を小さくするため、入力信号処理部１１でフリーズした映像を間引きし、かつ圧縮符号化したうえで、一時メモリ１５へ記憶させる。
【００２１】
一時メモリ１５へ記憶が完了したら、入力信号処理部１１でフリーズを解除して前記映像入力画面をメイン画面２８としてフレームメモリ１６、サブ画面２７として一時メモリ１５に設定し、映像合成処理部１４で図３に示すように二画面合成表示を行う。このとき、例えば映像合成の比率を７：３のように設定し、二画面を横に配置設定して表示する。
【００２２】
再びＦコマンドを受信すると、メイン画面２８をフリーズし、一時メモリ１５を更新する。また、二画面状態でＳコマンドを受信すると、メイン画面２８だけ表示する一画面モードに遷移するが、一時メモリ１５は消去せずに残っているので、再度Ｓコマンドを受信すると、直前の一時メモリをサブ画面とする二画面モードに遷移できる。
【００２３】
次に図４のフローチャートを使用して、制御部１３が実行する制御プログラム１７の制御について説明する。
【００２４】
プロジェクタ１で、二画面会議モードの制御コマンドを受信した場合、ステップＳ３０を実行する。続いてステップＳ３１に進んで、メイン入力映像をフリーズし、ステップＳ３２で映像信号ビット数を削減、画素数を間引き、さらに非可逆圧縮して一時メモリに記憶させる。圧縮保存が完了したかステップＳ３３で確認を行い、完了するまでＳ３３を繰り返す。完了後、ステップＳ３４へ進み、ステップＳ３１のフリーズ処理を解除する。その後ステップＳ３５へ進み、二画面会議モードへ切り替える。二画面会議モードでは、現在選択されている映像入力をメイン画面に設定し、ステップＳ３６でサブ画面を一時メモリに設定し、圧縮されたメモリを画像処理部１２で展開する。続いてステップＳ３７へ進んで二画面会議モードへの遷移を完了する。
【００２５】
また、プロジェクタ１では入力映像信号２の変化を常時監視しているが、二画面会議モードの映像入力信号受信部５で変化を検出した場合、図５に示すステップＳ４０の処理を実行する。ステップＳ４１で、メイン画面側の映像入力信号を入力信号受信部５で検出している場合は、ステップＳ４２へ進み、例えば画面構成比を７：３に決定する。続いてステップＳ４４で設定を実行し、ステップＳ４５で画面設定を終了する。一方、ステップＳ４１でメイン画面の映像を検出できなかった場合、ステップＳ４３に進み、二画面の映像合成比率を５：５に設定変更する。これによって、一時的に入力がなくなった場合に会議アジェンダを大きく表示させて、会議参加者の意識を下げないようにする。再び映像入力された場合、前述の画面比率変更をステップＳ４２で再設定し、画面構成比をもどすことができる。
【００２６】
以上の説明のように無信号時の画面構成比率を変化させることができるが、それぞれの場合の画面比率をあらかじめ記憶手段へ設定しておくことが可能である。
【００２７】
本実施例では、操作者がリモコン装置４を使用する場合について説明したが、ＰＣからプロジェクタに対して同様の制御コマンドを送信することにより、前述の二画面会議モードの操作を実行することも可能である。
【００２８】
会議終了時、本日の議題がすべて消化されたかどうか、振り返りを行う。ホワイトボードの印刷やプロジェクタの電源オフを行うことにより、会議の片付けを完了する。制御プログラム１７は、プロジェクタの消灯操作、あるいはスタンバイ状態へ遷移完了時に、前述の一時メモリ１５を消去する。
【００２９】
また、次の会議が連続する場合、プロジェクタの消灯をせずに継続使用することがある。この場合、前の会議の使用者が明示的に一時メモリの消去をしないと、次の会議の使用者が二画面モードに切り替えた時に、前会議の残存した内容が投射されることになり、都合がよくない。
【００３０】
そこで、例えば映像入力信号がない状態で二画面会議モードを実行することで、一時メモリ１５の内容を無効としてマークする。あるいは、一時メモリ１５の内容を消去し、前述の問題点を解決することができる。
【００３１】
次に第２の実施例について説明する。図６に示すプロジェクタ６１は、実施例１に対して会議時間タイマー６２を付加している。
【００３２】
実施例１と同様に、二画面会議モードを実行させる制御信号を送信した場合、本実施例では、二画面会議モードへ遷移させるとともに、図７に示すようにメイン画面６６とサブ画面６７に加え、会議時間を設定メニュー６４で選択させる。あらかじめ制御プログラム１７に設定してある会議時間の選択肢６５をＯＳＤ上で重畳表示し、会議時間を設定させる。
【００３３】
制御プログラム１７は、図８に示すように、会議タイマーの進捗状態を表示部６８に示す。タイマー動作中に、前述の二画面会議モードのフリーズ操作を受信した場合、一時記憶手段の圧縮メモリへの上書きを禁止するように制御する。禁止状態では、表示部６９のように禁止状態であることを表示するように制御する。
【００３４】
実施例２の制御部１３が実行する制御プログラム１７の動作について、図９のフローチャートを用いて説明する。
【００３５】
本実施例では、二画面会議モードの制御信号を受信した場合、図９に示すステップＳ７０を実行する。ステップＳ７１で二画面モード用タイマーが動作中かどうか判定する。ステップＳ７１で、タイマーが動作中でないと判定した場合、二画面会議モードを実行するため、ステップＳ７２へ進み、実施例１で説明したようにメイン画面を一時メモリへ圧縮保存する。
【００３６】
ステップＳ７３では、あらかじめ記憶している会議時間を表示し、操作者へ選択肢を与える。操作者が表示されている選択肢から一つを決定すると、ステップＳ７４へ進み、会議タイマーの計測を開始する。以降、この設定したタイマーが有効期間は、ステップＳ７１の判定が動作中と判定される。
【００３７】
ステップＳ７１で動作中と判定した場合、ステップＳ７６へ進み、図８に示す禁止状態を所定時間表示して、本実施例の処理を終了する。
【００３８】
また、タイマー期間が終了した場合、前述の一時メモリ１５の期限切れと判断し、一時メモリの上書き禁止を無効化する。この状態では、上書き禁止が解除するため、再度キャプチャ操作が可能となる。また、二画面会議モードから一画面へ戻り、再度二画面モードに遷移させた場合に、一時メモリを無効化させ、消去操作を不要とすることもできる。
【００３９】
本実施例では、会議予定時間と経過時間を示すため、タイマー値を棒グラフ状に表示したが、もちろん経過時間や残時間を数値表示するようにしても、本目的を達成できることは言うまでもない。
【００４０】
また、以上説明した制御は液晶プロジェクタに限定されるものでなく、例えば、デジタルマイクロミラーを用いたプロジェクタでも有効である。
【００４１】
本発明は画像投射装置において、会議進行を支援するための方法である。
【符号の説明】
【００４２】
１  画像投射装置、５  映像信号受信部、１０  映像処理部、
１１  映像信号処理部、１３  制御手段、１４  映像合成手段、
１５  一時記憶手段、１６  フレームメモリ、１７  制御プログラム、
１９  制御信号受信部
【図１】
2020198478.tif 000003
【図２】
2020198478.tif 000004
【図３】
2020198478.tif 000005
【図４】
2020198478.tif 000006
【図５】
2020198478.tif 000007
【図６】
2020198478.tif 000008
【図７】
2020198478.tif 000009
【図８】
2020198478.tif 000010
【図９】
2020198478.tif 000011